(57)【特許請求の範囲】
【請求項１】
第一の媒体のための第一のプレート隙間（３）と第二の媒体のための第二のプレート隙間（４）を形成するために互いにそばに設けられた複数の熱交換器プレートを備えたプレート式熱交換器のための熱交換器プレート（１）であり、前記熱交換器プレート（１）は、メイン伸張平面（ｐ）に中心軸（ｘ）に沿って延びており、伝熱エリア（１５）と、前記伝熱エリア（１５）のまわりに延びているエッジエリア（１６）を備えており、
前記伝熱エリア（１５）は、尾根（３０）と谷（４０）のコルゲーションを備えており、それらはおのおの長手方向（ｒ）に延びており、
前記尾根（３０）は、第一のエッジ表面（３１）と、第二のエッジ表面（３２）と、支持表面（３３）を有しており、それは、前記第一および第二のエッジ表面（３１，３２）の間に延びており、前記長手方向（ｒ）を横切って第一の幅（３４）を有しており、
前記谷（４０）は、第一のエッジ表面（４１）と、第二のエッジ表面（４２）と、支持表面（４３）を有しており、それは、前記第一および第二のエッジ表面（４１，４２）の間に延びており、長手方向（ｒ）を横切って第二の幅を有しており、
前記谷（４０）の前記支持表面（４３）は、前記伸張平面（ｐ）に対して傾斜しており、前記第一のエッジ表面（４１）と前記第二のエッジ表面（４２）までの全体の傾斜を有していることを特徴とする熱交換器プレート（１）。
【請求項２】
前記第二の幅（４４）は前記第一の幅（３４）よりも長い、請求項１に記載の熱交換器プレート。
【請求項３】
前記第一の幅（３４）はゼロである、請求項２に記載の熱交換器プレート。
【請求項４】
前記谷（４０）の前記支持表面（４３）は平面である、請求項１〜３のいずれか一つに記載の熱交換器プレート。
【請求項５】
前記谷（４０）の前記支持表面（４３）は前記伸張平面（ｐ）に対して３〜１５°である傾斜角（β）で傾斜している、請求項１〜４のいずれか一つに記載の熱交換器プレート。
【請求項６】
第一の媒体のための第一のプレート隙間（３）と第二の媒体のための第二のプレート隙間（４）を備えたプレートパッケージ（２）を形成するために互いにそばに設けられた複数の熱交換器プレート（１）を備えたプレート式熱交換器であり、
前記第一および第二のプレート隙間（３，４）は前記プレートパッケージ（２）の中に交互に並んで設けられており、
前記プレートパッケージ（２）の中の一つおきの熱交換器プレート（１）は一次プレート（１’）を形成しており、それらの間に設けられた一つおきの熱交換器プレート（１）は二次プレート（１”）を形成しており、
各熱交換器プレート（１）は、メイン伸張平面（ｐ）に中心軸（ｘ）に沿って延びており、伝熱エリア（１５）と、前記伝熱エリア（１５）のまわりに延びているエッジエリア（１６）を備えており、
前記伝熱エリア（１５）は、尾根（３０）と谷（４０）のコルゲーションを備えており、それらはおのおの長手方向（ｒ）に延びており、
前記尾根（３０）は、第一のエッジ表面（３１）と、第二のエッジ表面（３２）と、支持表面（３３）を有しており、それは、前記第一および第二のエッジ表面（３１，３２）の間に延びており、長手方向（ｒ）を横切って第一の幅（３４）を有しており、
前記谷（４０）は、第一のエッジ表面（４１）、第二のエッジ表面（４２）と、支持表面（４３）を有しており、それは、前記第一および第二のエッジ表面（４１，４２）の間に延びており、長手方向（ｒ）を横切って第二の幅（４４）を有しており、
前記一次プレート（１’）の前記谷（４０）の前記支持表面（４３）は、前記伸張平面（ｐ）に対して傾斜しており、前記第一のエッジ表面（４１）と前記第二のエッジ表面（４２）までの全体の傾斜を有しており、前記二次プレート（１”）の前記尾根（３０）の前記支持表面（３３）は、前記伸張平面（ｐ）に対して傾斜しており、前記第一のエッジ表面（４１）と前記第二のエッジ表面（４２）までの全体の傾斜を有していることを特徴とするプレート式熱交換器。
【請求項７】
前記一次プレート（１’）の前記第二の幅（４４）は前記一次プレート（１’）の前記第一の幅（３４）よりも長く、前記二次プレート（１”）の前記第一の幅（３４）は前記二次プレート（１”）の前記第二の幅（４４）よりも長い、請求項６に記載のプレート式熱交換器。
【請求項８】
前記一次プレート（１’）の前記第一の幅（３４）はゼロであり、前記二次プレート（１”）の前記第二の幅（４４）はゼロである、請求項７に記載のプレート式熱交換器。
【請求項９】
前記一次プレート（１’）の前記谷（４０）の前記支持表面（４３）は平面であり、前記二次プレート（１”）の前記尾根（３０）の前記支持表面（３３）は平面である、請求項６〜８のいずれか一つに記載のプレート式熱交換器。
【請求項１０】
前記一次プレート（１’）の前記谷（４０）の前記支持表面（４３）と前記二次プレート（１”）の前記尾根（３０）の前記支持表面（３３）は前記伸張平面（ｐ）に対して３〜１５°である傾斜角（β）で傾斜している、請求項６〜９のいずれか一つに記載のプレート式熱交換器。
【請求項１１】
前記一次プレート（１’）の一つの前記谷（４０）の前記支持表面（４３）と前記二次プレート（１”）の一つの前記尾根（３０）の前記支持表面（３３）は互いに隣接しており、この一次プレート（１’）とこの二次プレート（１”）は前記第一のプレート隙間（３）の一つを第一の流量で取り囲んでおり、
前記一次プレート（１’）の一つの前記尾根（３０）の前記支持表面（３３）と前記二次プレート（１”）の一つの前記谷（４０）の前記支持表面（４３）は互いに隣接しており、この一次プレート（１’）と前記二次プレート（１”）は前記第二のプレート隙間（４）の一つを第二の流量で取り囲んでおり、
前記第一の流量と前記第二の流量の商は１．２と３の間にある、請求項６〜１０のいずれか一つに記載のプレート式熱交換器。
【請求項１２】
一前記次プレート（１’）と前記二次プレート（１”）は、異なる形状の熱交換器プレート（１）によって形成されている、請求項６〜１１のいずれか一つに記載のプレート式熱交換器。
【請求項１３】
各熱交換器プレートは、前記伸張平面（ｐ）から離れて延びている周囲フランジ（２０）を有している、請求項１２に記載のプレート式熱交換器。
【請求項１４】
前記熱交換器プレート（１）は、たとえばろう付けによって、互いに永久的に接続されている、請求項１２と１３のいずれか一つに記載のプレート式熱交換器。
【請求項１５】
前記一次プレート（１’）と前記二次プレート（１”）は同一であり、前記プレートパッケージ（２）の中の一つおきの熱交換器プレート（１）は、一つおきの熱交換器プレート（１）の前記尾根（３０）の前記支持表面（３３）が、中間の熱交換器プレート（１）の前記尾根（３０）の前記支持表面（３３）と隣接して交差するように１８０°回転されており、前記熱交換器プレート（１）は締付部材（５）によって互いに押し付けられている、請求項６〜１１のいずれか一つに記載のプレート式熱交換器。
【請求項１６】
一つおきの熱交換器プレート（１）は、中心軸（ｘ）に関して第一の端（１Ａ）と第二の反対端（１Ｂ）を有しており、
前記一次プレート（１’）と前記二次プレート（１”）の前記第一のエッジ表面（３１，４１）は前記第一の端（１Ａ）の方に向けられており、また、前記一次プレート（１’）と前記二次プレート（１”）の前記第二のエッジ表面（３２，４２）は前記第二の端（１Ｂ）の方に向けられており、
前記一次プレート（１’）の前記谷（４０）の前記支持表面（４３）は、前記第一のエッジ表面（４１）から、前記伸張平面（ｐ）に向かいかつ前記第二のエッジ表面（４２）に向かう方向に傾斜しており、
前記二次プレート（１”）の前記尾根（３０）の前記支持表面（３３）は、前記第一のエッジ表面（３１）から、前記伸張平面（ｐ）に向かいかつ前記第二のエッジ表面（３２）に向かう方向に傾斜している、請求項１〜１５のいずれか一つに記載のプレート式熱交換器。
【請求項１７】
すべての熱交換器プレート（１）は前記中心軸（ｘ）に関して第一の端（１Ａ）と第二の反対端（１Ｂ）を有しており、
前記一次プレート（１’）と前記二次プレート（１”）の前記第一のエッジ表面（３１，４１）は前記第一の端（１Ａ）の方に向けられており、また、前記一次プレート（１’）と前記二次プレート（１”）の前記第二のエッジ表面（３２，４２）は前記第二の端（１Ｂ）の方に向けられており、
前記一次プレート（１’）の前記谷（４０）の前記支持表面（４３）は、前記第一のエッジ表面（４１）から、前記伸張平面（ｐ）に向かいかつ前記第二のエッジ表面（４２）に向かう方向に傾斜しており、
前記二次プレート（１”）の前記尾根（３０）の前記支持表面（３３）は、前記第二のエッジ表面（３２）から、前記伸張平面（ｐ）に向かいかつ前記第一のエッジ表面（３１）に向かう方向に傾斜している、請求項１〜１５のいずれか一つに記載のプレート式熱交換器。
【発明の詳細な説明】
【技術分野】
【０００１】
本発明は、請求項１の前段部による熱交換器プレートに言及する。本発明はまた、請求項６の前段部によるプレート式熱交換器に言及する。そのようなプレート式熱交換器はＵＳ−Ａ−４，４２３，７７２に開示されている。
【背景技術】
【０００２】
この発明は、もっぱらでないが、いわゆる非対称プレート式熱交換器に特に言及している。非対称プレート式熱交換器では、第一のプレート隙間中の第一の媒体のための流積または流量は、第二のプレート隙間中の第二の媒体のための流積または流量と異なっている。ＳＥ−Ｂ−４５８  ７１８と前述のＵＳ−Ａ−４，４２３，７７２を参照されたい。
【０００３】
そのような非対称プレート式熱交換器は、媒体が異なる特性を有しているさまざまな用途においておもしろい。そのような用途の一例は、冷却回路、たとえば加熱される媒体たとえば水とは別の特性を冷媒が有しているヒートポンプである。冷媒は、ある特定の温度および圧力範囲内で動作する。
【０００４】
特に非対称プレート式熱交換器の多くの熱交換器プレートは、幅広い支持表面を持つ尾根および／または谷を持つコルゲーションを有している。そのような支持表面に関する一つの問題は、熱交換器プレート間の接触点が比較的大きい接触エリアを形成することである。ろう付けプレート式熱交換器では、ろう付け材料は全接触エリア中に流れ出る。これらの接触エリアでは、接触エリアの一方の側の媒体が接触エリアの他方の側の同一媒体との熱交換接触状態にあるので、直接伝熱がない。したがって、接触エリアは一種の短絡を作り出す。これは、接触エリアが大きすぎる場合に問題になる。
【先行技術文献】
【特許文献】
【０００５】
【特許文献１】ＵＳ−Ａ−４，４２３，７７２
【特許文献２】ＳＥ−Ｂ−４５８  ７１８
【発明の概要】
【０００６】
本発明の目的は、熱交換器プレートとプレート式熱交換器を提供することであり、それは接触点または接触エリアの大きさを低減することに寄与する。特に、それは、非対称プレート式熱交換器の接触エリアの大きさの低減に向けられている。
【０００７】
この目的は、最初に定められた熱交換器プレートによって達成され、それは、谷の支持表面が伸張平面に対して傾斜していることを特徴としている。谷の支持表面が傾斜しているので、対応する熱交換器プレートと形成される接触点は、支持表面が伸張平面と平行であるときに対して小さい接触エリアを形成する。
【０００８】
本発明の実施形態によれば、第二の幅は第一の幅よりも長く、すなわち、谷の支持表面は、尾根の支持表面よりも幅広く、それは、非対称プレート式熱交換器の達成を可能にする。谷の比較的広い支持表面にある接触エリアの大きさは、定められた傾斜によって簡潔な手法で低減される。
【０００９】
本発明のさらなる実施形態によれば、第一の幅はゼロに近く、すなわち、尾根の支持表面はゼロに近く、丸まりによって形成される。そのような丸まりは、比較的短い曲率半径を有している。
【００１０】
本発明のさらなる実施形態によれば、谷の支持表面は実質的に平面である。しかしながら、支持表面は、一方のエッジ表面から他方へエッジ表面への傾斜を伴って、ある湾曲や凹面や凸面を有していてもよいことに注意されたい。
【００１１】
本発明のさらなる実施形態によれば、谷の支持表面は伸張平面に対して３〜１５°好ましくは３〜７°である傾角角度で傾斜している。
【００１２】
目的はまた、最初に定められたプレート式熱交換器によって達成され、それは、一次プレートの谷の支持表面が伸張平面に対して傾斜しており、二次プレートの尾根の支持表面が伸張平面に対して傾斜していることを特徴とする。
【００１３】
一次プレートの谷の支持表面と二次プレートの尾根の支持表面が傾斜しているので、一次プレートと二次プレートのこれらの支持表面の間に形成される接触点は、これらの支持表面が伸張平面と平行であるときと比較して小さい接触エリアを形成する。
【００１４】
本発明の実施形態によれば、一次プレートの第二の幅は一次プレートの第一の幅よりも長く、二次プレートの第一の幅は二次プレートの第二の幅よりも長い。一次プレートと二次プレートの谷と尾根のそのような形状でもって、非対称プレート式熱交換器が達成される。
【００１５】
本発明のさらなる実施形態によれば、一次プレートの第一の幅と二次プレートの第二の幅はゼロに近い。これは、一次プレートの尾根の支持表面と二次プレートの谷の支持表面がゼロに近く、丸まりによって形成され得ることを意味する。そのような丸まりは、比較的短い曲率半径を有し得る。
【００１６】
本発明のさらなる実施形態によれば、一次プレートの谷の支持表面と二次プレートの尾根の支持表面は実質的に平面である。これらの支持表面は、一方のエッジ表面から他方へエッジ表面まで傾斜を伴う湾曲や凹面や凸面を有していてもよいことに注意されたい。
【００１７】
さらなる実施形態によれば、一次プレートの谷の支持表面と二次プレートの尾根の支持表面は伸張平面に対して３〜１５°好ましくは３〜７°である傾角角度で傾斜している。そのような角度は、接触エリアの大きさの効率的な低減にとって有利であり、また同時に、プレート式熱交換器の十分な非対称性が可能になる。
【００１８】
本発明のさらなる実施形態によれば、一次プレートの一つの谷の支持表面と二次プレートの一つの尾根の支持表面は互いに隣接しており、この一次プレートとこの二次プレートは第一のプレート隙間の一つを第一の流量で取り囲んでおり、同時に、一次プレートの一つの尾根の支持表面と二次プレートの一つの谷の支持表面は互いに隣接しており、この一次プレートとこの二次プレートは第二のプレート隙間の一つを第二の流量で取り囲んでおり、第一の流量と第二の流量の商は１．２と３の間、好ましくは１．５と２．５の間、より好ましくは１．８と２．１の間にある。
【００１９】
本発明のさらなる実施形態によれば、一次プレートと二次プレートは、異なる形状の熱交換器プレートによって形成されている。そのような設計は、もしかしたら伸張平面から離れて熱交換器プレートの全体または一部に延びている外側フランジを有している、ろう付けされたまたは他の方法によって永久的に接続された熱交換器プレートにとって特に有利である。一次プレートと二次プレートはここでは別々に製造されており、一次プレートの尾根の支持表面は二次プレートの尾根の支持表面よりも小さい幅を有している。
【００２０】
本発明のさらなる実施形態によれば、一次プレートと二次プレートは同一であり、プレートパッケージの中の一つおきの熱交換器プレートは、一つおきの熱交換器プレートの尾根の支持表面が、中間の熱交換器プレートの尾根の支持表面と隣接して交差するように１８０°回転されており、熱交換器プレートは締付部材によって互いに対して押し付けられている。本発明はまた、互いに対する熱交換器プレートの押し付けが、接触エリアを形成するように接触点のある変形をもたらすとき、この種のプレート式熱交換器にとって有利である。発明的設計と、一次プレートの谷と二次プレートの尾根の支持表面の傾斜でもって、支持表面が伸張平面と平行な伸張を有しているのに対して、接触エリアの大きさが低減される。
【００２１】
本発明のさらなる実施形態によれば、各熱交換器プレートは、中心軸に関して第一の端と第二の反対端を有しており、一次プレートと二次プレートの第一のエッジ表面は第一の端の方に向けられており、また、一次プレートと二次プレートの第二のエッジ表面は第二の端の方に向けられている。
【００２２】
この実施形態の有利な変形によれば、一次プレートの谷の支持表面は、第一のエッジ表面から、伸張平面に向かいかつ第二のエッジ表面に向かう方向に傾斜しており、同時に、二次プレートの尾根の支持表面は、第一のエッジ表面から、伸張平面に向かいかつ第二のエッジ表面に向かう方向に傾斜している。熱交換器プレートがこのように配置されるならば、第一のプレート隙間中の流れ抵抗は、第一の流れ方向については比較的小さいが、第二の反対の流れ方向については比較的大きい。
【００２３】
この実施形態の第二の変形によれば、一次プレートの谷の支持表面は、第一のエッジ表面から、伸張平面に向かいかつ第二のエッジ表面に向かう方向に傾斜しており、同時に、二次プレートの尾根の支持表面は、第二のエッジ表面から、伸張平面に向かいかつ第一のエッジ表面に向かう方向に傾斜している。この変形では、第一のプレート隙間中の流れ抵抗は、両方の流れ方向について実質的に等しい。
【図面の簡単な説明】
【００２４】
本発明は、ここに添付された図面に関連したさまざまな実施形態の説明をとおしていま詳しく説明される。
【図１】図１は、本発明の第一の実施形態によるプレート式熱交換器の正面図を概略的に開示している。
【図２】図２は、図１のプレート式熱交換器の側面図を概略的に開示している。
【図３】図３は、本発明の第二の実施形態によるプレート式熱交換器の正面図を概略的に開示している。
【図４】図４は、図３のプレート式熱交換器の側面図を概略的に開示している。
【図５】図５は、図１のプレート式熱交換器の一次プレートの形の熱交換器プレートの平面図を概略的に開示している。
【図６】図６は、図１のプレート式熱交換器の二次プレートの形の熱交換器プレートの平面図を概略的に開示している。
【図７】図７は、互いの上に設けられた図５の一次プレートと図６の二次プレートの図を概略的に開示している。
【図８】図８は、図１〜４のプレート式熱交換器中の四つの熱交換器プレートを通る断面を概略的に開示している。
【図９】図９は、第一の変形による一次プレートと二次プレートのパターンの図を概略的に開示している。
【図１０】図１０は、第二の変形による一次プレートと二次プレートのパターンの図を概略的に開示している。
【発明を実施するための形態】
【００２５】
添付の図と関連して、プレート式熱交換器が開示されている。図１と２、３と４をそれぞれ参照されたい。プレート式熱交換器は、第一の媒体のための第一のプレート隙間３と第二の媒体のための第二のプレート隙間４を備えたプレートパッケージ２を形成するために互いにそばに設けられた複数の熱交換器プレート１を備えている。第一のプレート隙間３と第二のプレート隙間４は、プレートパッケージ２の中に交互に並んで設けられており、すなわち、一つおきのプレート隙間は第一のプレート隙間３で、他の一つおきは第二のプレート隙間４である（図８参照）。
【００２６】
図１と２に示されたプレート式熱交換器は、好ましくはろう付けによって、互いに永久的に接続された熱交換器プレート１を有している。熱交換器プレート１はまた、固着や溶接によって互いに永久的に接続されてもよい。二つの最も外側の熱交換器プレートは、エンドプレート５と６を形成または交換されてよい。
【００２７】
図３と４に示されたプレート式熱交換器では、熱交換器プレートは、プレートパッケージに締付部材５によって互いに対して押し付けられており、それは、締付ボルトが二つのエンドプレート６と７を通って延び、それらの間に熱交換器プレート１は設けられるように設計されている。
【００２８】
プレート式熱交換器はまた、入口および出口流路１１〜１４を備えており、それらは、第一の媒体を第一のプレート隙間３の中へ、またそこから外へ運ぶように配置されており、第二の媒体を第二のプレート隙間４の中へ、またそこから外へ運ぶように配置されている。
【００２９】
熱交換器プレート１は、より詳しくいま説明され、図１と２に示された第一の実施形態によるプレート熱交換器のための熱交換器プレート１に関連する。各熱交換器プレート１は、伸張平面またはメイン伸張平面ｐ（図８参照）に延びており、伝熱エリア１５と、伝熱エリア１５の近くに延びているエッジエリア１６を備えている。伸張平面ｐはまた、少なくとも伝熱エリア１５に関して、各熱交換器プレートの中央平面を形成する。各熱交換器プレート１はまた、二つの丸穴エリア１７と１８を備えており、それらは、熱交換器プレート１の第一の端１Ａと、熱交換器プレート１の第二の端１Ｂにそれぞれ設けられている。丸穴エリア１７と１８は、エッジエリア１６の内側に、より明確にはエッジエリア１６と伝熱エリア１５の間に配置されている。各丸穴エリア１７，１８は、それぞれの入口および出口流路１１〜１４と整列した二つの丸穴１９を備えている。各熱交換器プレート１はまた、伸張平面ｐから離れて延びている周囲外側フランジ２０を備えている（図１参照）。フランジ２０は、エッジエリア１６の外側部の外側に設けられるか、それを形成している。第一の実施形態による熱交換器プレート１はまた、そのような外側フランジ２０を欠いてもよいし、熱交換器プレート１の周囲の一部に沿って延びている外側フランジを有していてもよいことに注意されたい。
【００３０】
開示された実施形態では、各熱交換器プレート１は第一の端１Ａから第二の端１Ｂまで細長い形をしている。各熱交換器プレート１は、伸張平面ｐ中に位置し、第一の端１Ａと第二の端１Ｂを通って延びる長手中心軸ｘを定める。より正確には、中心軸ｘは、第一の丸穴エリア１７の二つの丸穴１９の間と、第二の丸穴エリア１８の丸穴１９の間に位置している。
【００３１】
伝熱エリア１５は、尾根３０と谷４０のコルゲーションを備えており、それはおのおの、開示された実施形態において角αを形成する長手方向ｒに延びている（図５参照）。角αは２５と７０°の間、好ましくは４５と６５°の間にあり、特にはほぼ６０°である。開示された実施形態では、コルゲーションは矢印パターンとして設計されている。しかしながら、本発明の範囲内において他のパターン、たとえば伝熱エリア１５全体を横切る対角線上に延びる尾根３０と谷４０を備えたコルゲーションが可能であることに注意されたい。
【００３２】
図８に見ることができるように、尾根３０は、第一のエッジ表面３１と、第二のエッジ表面３２と、第一のエッジ表面３１と第二のエッジ表面３２の間に延びている支持表面３３を有している。尾根３０は、長手方向ｒを横切って第一の幅３４を有している。また、谷は、第一のエッジ表面４１と、第二のエッジ表面４２と、第一のエッジ表面と第二のエッジ表面４２の間に延びている支持表面４３を有している。谷の支持表面４３は、長手方向ｒを横切って第二の幅４４を有している。図８に見ることができるように、尾根３０の第一のエッジ表面３１は谷４０の第一のエッジ表面４１に続いている。これらの第一のエッジ表面３１と４１は伸張平面ｐにおいて分離されている。同様に、尾根３０の第二のエッジ表面３２は谷４０の第二のエッジ表面４２に続いており、伸張平面ｐにおいて分離されている。
【００３３】
図８では、支持表面３３;４３とエッジ表面３１，３２；４１，４２の間の境界は比較的とがっている。しかしながら、これらの両方またはそれらの一つは丸められていてもよいことに注意されたい。
【００３４】
図５〜８に見ることができるように、プレートパッケージ２中の熱交換器プレート１は、一次プレート１’（図５参照）と二次プレート１”（図６参照）を備えている、または形成している。これらは、プレートパッケージ中の一つおきの熱交換器プレート１が一次プレート１’を形成し、それらの間に設けられた一つおきの熱交換器プレート１が二次プレート１”を形成するように配置されている（図７と８参照）。
【００３５】
一次プレート１’の第二の幅４４すなわち支持表面４３の幅は、一次プレート１’の第一の幅３４すなわち支持表面３３の幅よりも長いか、著しく長い。同様に、二次プレート１”の第一の幅３４すなわち支持表面３３の幅は、二次プレート１”の第二の幅４４すなわち支持表面４３の幅よりも長いか、著しく長い。より明確には、一次プレート１’の第一の幅３４は、二次プレート１”の第二の幅４４と同様、ゼロに近くてよい。このようにして、非対称プレート式熱交換器が達成され、第二のプレート隙間４の流積または流量は、第一のプレート隙間３の流積または流量よりも大きい。
【００３６】
この非対称性は図８に示されており、第一のプレート隙間３が第二のプレート隙間４よりも大きい流積または流量を有していることが見てとれる。さらに、図８に示されるように、一次プレート１’の一つの谷４０の支持表面４３と二次プレート１”の一つの尾根３０の支持表面３３は互いに隣接している。この一次プレート１’とこの二次プレート１”は、第一の流量を有している第一のプレート隙間３の一つを取り囲んでいる。同様に、一次プレート１’の一つの尾根３０の支持表面３３は、二次プレート１”の一つの谷４０の支持表面４３に隣接している。この一次プレート１’とこの二次プレート１”は、第二の流量を有している第二のプレート隙間４の一つを取り囲んでいる。第一の流量と第二の流量の商は１．２と３の間、好ましくは１．５と２．５の間、より好ましくは１．８と２．１の間にある。
【００３７】
図８に見てとれるように、一次プレート１’の谷４０の支持表面４３は伸張平面ｐに対して傾斜している。同様に、二次プレート１”の尾根３０の支持表面３３は伸張平面ｐに対して傾斜している。この傾斜は、支持表面４３と３３の間の前述の隣接が、特に支持表面４３と３３が伸張平面ｐと平行に伸張を有しているのと比較して、比較的小さい接触エリア５０を越えて延びることを意味する。これらの支持表面３３と４３は伸張平面ｐに対して傾斜角βで傾斜している。傾斜角βは３〜１５°好ましくは３〜７°、たとえば５°またはほぼ５°である。
【００３８】
図８にまた示されるように、支持表面３３と４３は実質的に平面である。しかしながら、これらの表面は平面である必要はなく、
それぞれ一方のエッジ表面４１，４２および３１，３２からそれぞれ他方のエッジ表面４１，４２および３１，３２までの全体の傾斜内の湾曲または他のどのような不規則な形状をしていてもよいことに注意されたい。支持表面３３と４３の傾斜は一次プレート１’と二次プレート１”にさまざまなやり方で設けられてよい。図５〜８は、どのように、一次プレート１’と二次プレート１”の第一のエッジ表面３１，４１が第一の端１Ａの方に向けられており、また、一次プレート１’と二次プレート１”の第二のエッジ表面３２，４２が第二の端１Ｂの方に向けられているかを示している。一次プレート１’の谷４０の支持表面４３は、第一のエッジ表面４１から、伸張平面ｐに向かいかつ一次プレート１’の谷４０の第二のエッジ表面４２に向かう方向に傾斜している。二次プレート１”の尾根３０の支持表面３３は、第一のエッジ表面３１から、伸張平面ｐに向かいかつ二次プレート１”の尾根３０の第二のエッジ表面３２に向かう方向に傾斜している。同一方向のそのような傾斜で、図９に示される外観の接触エリア５０が達成される。接触エリア５０は、三角形状をしており、流れが矢印５１の方向にあるとき、流れが反対方向すなわち矢印５２の方向にあるときと比較して、より低い流れ抵抗を与える。
【００３９】
支持表面を異なる方向に傾斜させることも可能であり、一次プレート１’の谷４０の支持表面４３は、第一のエッジ表面４１から、伸張平面ｐに向かいかつ一次プレート１’の谷４０の第二のエッジ表面４２に向かう方向に傾斜しており、二次プレート１”の尾根３０の支持表面３３は、エッジ表面３２から、伸張平面ｐに向かいかつ二次プレート’３１の尾根３０の第一のエッジ表面３１に向かう方向に傾斜している。支持表面３３，４３のそのような傾斜で、図１０に示される外観の接触エリア５０が達成される。この場合も三角状の形状の接触エリア５０が得られるが、反対方向５１と５２での流れ抵抗は実質的に等しい。
【００４０】
接触エリア５０内では、熱交換器プレート１は互いに接触している。ろう付けされたプレート式熱交換器の図示の実施形態では、接触エリア５０は、ろう付け材料によって形成されるか、実質的に形成される。
【００４１】
開示された実施形態では、一次プレート１’と二次プレート１”は、別々に製造された異なる形状の熱交換器プレートによって形成されており、各熱交換器プレート１は、伸張平面ｐから一方向に延びている周囲フランジ２０を有している。一次プレート１’は、図５による伝熱エリア１５の矢印パターンを有しており、一方、二次プレート１”は、図６による反対方向に指向された伝熱エリア１５の矢印パターンを有している。
【００４２】
熱交換器プレートが周囲フランジを有していない場合、一次プレート１’と二次プレート１”は同一であってよい。この場合、一次プレート１’と二次プレート１”は、一つおきの熱交換器プレートたとえば二次１プレート”を伸張平面ｐ中で１８０°回転させることにより設けられる。このようにして、一次プレート１’の伝熱エリア１５は、図５による矢印パターンのコルゲーションをとり、二次プレートの伝熱エリア１５は図６によるコルゲーションの矢印パターンをとる。そのような同一の熱交換器プレート１は、締付部材５によって熱交換器プレート１が互いに対して押し付けられるプレート式熱交換器で有利に使用され得る（図３と４参照）。
【００４３】
本発明は、開示された実施形態に制限されるものではなく、続く請求項の範囲内において変更および修正されてよい。
【図１】
0005612203.tif 000002
【図２】
0005612203.tif 000003
【図３】
0005612203.tif 000004
【図４】
0005612203.tif 000005
【図５】
0005612203.tif 000006
【図６】
0005612203.tif 000007
【図７】
0005612203.tif 000008
【図８】
0005612203.tif 000009
【図９】
0005612203.tif 000010
【図１０】
0005612203.tif 000011